(57)【特許請求の範囲】
【請求項１】
抄紙機に設けられた帯状体を洗浄する帯状体洗浄部と、
導入気体が導入されることでベンチュリー効果により吸引力を発生させる吸引管、を有し、前記帯状体の洗浄により前記帯状体から除去された汚れを、前記帯状体の洗浄が行われている間に吸引する吸引部と、を備え、
前記吸引管の周壁には、
前記導入気体を導入する第１導入流路が接続される第１接続口と、
前記吸引管に吸引力が発生していない状態で前記吸引管に吸引管洗浄液を導入する第２導入流路が接続される第２接続口と、
が設けられていることを特徴とする帯状体洗浄装置。
【請求項２】
導入気体が導入されることでベンチュリー効果により吸引力を発生させる吸引管であって、
前記吸引管の周壁に、
前記導入気体を導入する第１導入流路が接続される第１接続口と、
前記吸引管に吸引力が発生していない状態で前記吸引管に吸引管洗浄液を導入する第２導入流路が接続される第２接続口と、
が設けられていることを特徴とする吸引管。
【発明の詳細な説明】
【技術分野】
【０００１】
本発明は、抄紙機に設けられたカンバスなどの帯状体を洗浄する帯状体洗浄装置および吸引管に関するものである。
【背景技術】
【０００２】
従来、特許文献１が開示するように、抄紙機に設けられたカンバスを洗浄する高圧水吹付装置と、カンバスの洗浄によりカンバスから除去された汚れを、カンバスの洗浄が行われている間に吸引するコーン部と、を備えたカンバス洗浄装置が知られている。
【先行技術文献】
【特許文献】
【０００３】
【特許文献１】特許第６５３４７８５号公報
【発明の概要】
【発明が解決しようとする課題】
【０００４】
従来のカンバス洗浄装置では、カンバスから除去された汚れによりコーン部の吸引力が低下する場合がある。コーン部の吸引力が低下すると、コーン部がカンバスから除去された汚れを吸引し切れなくなり、コーン部に吸引されなかった汚れがカンバス上に落下してカンバスから紙へ転写する。汚れが転写した紙は、販売不能な損紙となることから、コーン部の吸引力が低下する前に、コーン部の吸引力を回復させる必要がある。そのため、従来のカンバス洗浄装置では、作業員が、定期的にコーン部の吸引力を点検し、吸引力に異常がある場合は、コーン部を分解して手作業で洗浄する、という作業を行わなければならない。
【０００５】
本発明は、帯状体から除去された汚れを吸引する吸引管の吸引力を、吸引管を手作業で洗浄することなく、回復させることができる帯状体洗浄装置および吸引管を提供することを目的としている。
【課題を解決するための手段】
【０００６】
本発明の帯状体洗浄装置は、抄紙機に設けられた帯状体を洗浄する帯状体洗浄部と、吸引力を発生させる吸引管、を有し、帯状体の洗浄により帯状体から除去された汚れを、帯状体の洗浄が行われている間に吸引する吸引部と、を備え、吸引管の周壁には、吸引管に吸引力を発生させる導入気体を導入する第１導入流路が接続される第１接続口と、吸引管に吸引管洗浄液を導入する第２導入流路が接続される第２接続口と、が設けられている。
【０００７】
本発明の吸引管は、吸引力を発生させる吸引管であって、吸引管の周壁に、吸引管に吸引力を発生させる導入気体を導入する第１導入流路が接続される第１接続口と、吸引管に吸引管洗浄液を導入する第２導入流路が接続される第２接続口と、が設けられている。
【図面の簡単な説明】
【０００８】
【図１】抄紙機の全体構成を示す図である。
【図２】カンバス洗浄装置を−Ｙ方向から見た図である。
【図３】カンバス洗浄装置を＋Ｘ方向から見た図である。
【図４】洗浄吸引部を＋Ｘ方向から見た図である。
【図５】吸引管の斜視図である。
【図６】吸引管の分解斜視図である。
【図７】吸引管の断面図である。
【図８】吸引管および気体洗浄液供給部を示す図である。
【図９】カンバス洗浄装置の制御系を示すブロック図である。
【図１０】制御部が実行する制御処理を示すフローチャートである。
【図１１】変形例に係る吸引管および気体洗浄液供給部を示す図である。
【発明を実施するための形態】
【０００９】
以下、添付の図面を参照しつつ、帯状体洗浄装置および吸引管の一実施形態について説明する。なお、以下では、各図に示したＸＹＺ直交座標系による方向を用いて説明するが、これらの方向は説明の便宜上のものにすぎず、特に言及しない限り、以下の実施形態を何ら限定するものではない。また、各部材の個数や各種パラメーターなどの数値は、例示にすぎず、特に言及しない限り、以下の実施形態を何ら限定するものではない。
【００１０】
［抄紙機］
図１を参照して、帯状体洗浄装置の一実施形態であるカンバス洗浄装置４５を備えた抄紙機１について説明する。抄紙機１は、紙Ｐの製造工程のうち、パルプおよび各種薬品から調合された紙料を抄いて紙Ｐを製造する抄造工程に用いられる。抄紙機１は、ワイヤーパート３と、プレスパート５と、ドライヤーパート７と、リールパート９とを備えている。
【００１１】
ワイヤーパート３は、ワイヤー１３上に水分を含んだ状態の紙Ｐを生成する。なお、本実施形態では、水分を含んだ状態の紙Ｐすなわち湿紙と、乾燥状態の紙Ｐとを、特に区別することなく、いずれも「紙Ｐ」という。
【００１２】
ワイヤーパート３は、ヘッドボックス１１と、ワイヤー１３と、複数のワイヤーガイドロール１５と、ワイヤー洗浄装置１９とを備えている。ヘッドボックス１１は、ワイヤー１３上に紙料を供給する。ワイヤー１３は、ワイヤー１３上に供給された紙料から、水を自然落下させる。これにより、ワイヤー１３上に紙Ｐが生成される。ワイヤー１３は、無端の帯状体であり、複数のワイヤーガイドロール１５間を循環走行する。複数のワイヤーガイドロール１５は、ワイヤー１３の走行をガイドする。ワイヤー洗浄装置１９は、紙料により汚れたワイヤー１３を洗浄する。ワイヤー洗浄装置１９は、ワイヤー１３の走行経路において、ワイヤー１３が紙Ｐから分離する位置と、ワイヤー１３が紙Ｐと再び接する位置と、の間に設けられている。
【００１３】
プレスパート５は、ワイヤーパート３から送られてきた紙Ｐから搾水する。プレスパート５は、第１プレス区２１と、第２プレス区２３とを備えている。
【００１４】
第１プレス区２１は、一対のプレスロール２５と、フェルト２７と、複数のフェルトガイドロール２９と、フェルト洗浄装置３１とを備えている。一対のプレスロール２５は、その相互間に、フェルト２７と、ワイヤーパート３から送られてきた紙Ｐとを挟んで加圧する。これにより、紙Ｐから水が搾り出される。フェルト２７は、紙Ｐから搾り出された水を吸収する。フェルト２７は、無端の帯状体であり、プレスロール２５および複数のフェルトガイドロール２９間を循環走行する。複数のフェルトガイドロール２９は、フェルト２７の走行をガイドする。フェルト洗浄装置３１は、紙Ｐと接することで汚れたフェルト２７を洗浄する。フェルト洗浄装置３１は、フェルト２７の走行経路において、フェルト２７が紙Ｐから分離する位置と、フェルト２７が紙Ｐと再び接する位置と、の間に設けられている。
【００１５】
第２プレス区２３は、第１プレス区２１と同様に構成されているため、説明を省略する。なお、第１プレス区２１および第２プレス区２３のいずれにおいても、フェルト２７が紙Ｐの第１面Ｐａと接しているが、この構成に限定されず、第１プレス区２１および第２プレス区２３の少なくとも一方において、フェルト２７が紙Ｐの第１面Ｐａとは反対側の第２面Ｐｂと接した構成でもよい。
【００１６】
ドライヤーパート７は、プレスパート５から送られてきた紙Ｐを加熱することで、紙Ｐを乾燥させる。ドライヤーパート７は、フード３３内に設けられている。フード３３内の雰囲気は、紙Ｐを効率良く乾燥させるために、例えば１６０℃以上２００℃以下の高温に保たれている。ドライヤーパート７は、第１ドライヤー区３５と、第２ドライヤー区３７とを備えている。
【００１７】
第１ドライヤー区３５は、紙Ｐを第１面Ｐａから乾燥させる。第１ドライヤー区３５は、複数のドライヤーロール３９と、カンバス４１と、複数のカンバスロール４３と、カンバスガイドロール４４と、ストレッチロール４６と、カンバス洗浄装置４５とを備えている。ドライヤーロール３９は、例えば１００℃程度の高温に加熱されており、紙Ｐの第１面Ｐａと接することで紙Ｐを第１面Ｐａから乾燥させる。カンバス４１は、紙Ｐの乾燥効率を向上させるために、ドライヤーロール３９に対して紙Ｐを押さえ付ける。カンバス４１は、無端の帯状体であり、複数のカンバスロール４３間を循環走行する。複数のカンバスロール４３は、カンバス４１の走行をガイドする。カンバスガイドロール４４は、軸方向の一方の端部を支点として揺動することで、蛇行したカンバス４１を補正する。ストレッチロール４６は、カンバス４１を複数のカンバスロール４３に掛け止めする際に移動することで、カンバス４１のテンションを調整する。カンバス洗浄装置４５は、紙Ｐと接することで汚れたカンバス４１を洗浄する。カンバス洗浄装置４５は、カンバス４１の走行経路において、カンバス４１が紙Ｐから分離する位置と、カンバス４１が紙Ｐと再び接する位置と、の間に設けられている。なお、カンバス洗浄装置４５については、詳細を後述する。
【００１８】
第２ドライヤー区３７は、紙Ｐを第１面Ｐａとは反対側の第２面Ｐｂから乾燥させる。第２ドライヤー区３７は、ドライヤーロール３９が紙Ｐの第２面Ｐｂと接することで紙Ｐを第２面Ｐｂから乾燥させる点を除き、第１ドライヤー区３５と同様に構成されているため、説明を省略する。なお、ドライヤーパート７は、第１ドライヤー区３５および第２ドライヤー区３７のいずれか一方のみを備えた構成でもよい。
【００１９】
リールパート９は、ドライヤーパート７から送られてきた乾燥状態の紙Ｐを、リール４７に巻き取る。
【００２０】
［カンバス洗浄装置］
図２および図３に示すように、カンバス洗浄装置４５は、２本の大支柱１０１と、２本のフレーム１０３と、小支柱１０５と、洗浄吸引部１０７と、セーブオール１０９と、ヘッド洗浄部１１１（図３参照）と、洗浄パン１１３と、測定部１１５と、移動部１１７と、を備えている。
【００２１】
また、カンバス洗浄装置４５は、第１エリア１１９と、第２エリア１２１と、第３エリア１２３とを備えている。３つのエリアは、−Ｘ方向から、第１エリア１１９、第３エリア１２３、第２エリア１２１、の順に設けられている。第１エリア１１９では、洗浄吸引部１０７により、カンバス４１の洗浄が行われる。第２エリア１２１では、洗浄吸引部１０７のメンテナンス処理が行われる。第３エリア１２３では、測定部１１５により、洗浄吸引部１０７の吸引力が測定される。
【００２２】
第１エリア１１９は、フード３３内に設けられ、第２エリア１２１および第３エリア１２３は、フード３３外に設けられている。すなわち、第１エリア１１９と第３エリア１２３との間には、フード３３の側壁の一つであるエリア間側壁４９が設けられている。エリア間側壁４９には、出入口５１が設けられている。出入口５１にはスイングドア５３が取り付けられている。
【００２３】
２本の大支柱１０１は、２本のフレーム１０３を介して、移動部１１７を支持している。２本の大支柱１０１は、第１エリア１１９をＸ方向に挟むようにして、互いにＸ方向に離れて設けられている。すなわち、２本の大支柱１０１は、カンバス４１に対してカンバス４１の幅方向両側に設けられている。各大支柱１０１のＺ方向略中間部からは、フレーム１０３が−Ｙ方向に延在している。すなわち、各フレーム１０３は、＋Ｙ方向の端部が大支柱１０１に片持ちで支持されている。２本のフレーム１０３の−Ｚ方向には、移動部１１７が取り付けられている。小支柱１０５は、移動部１１７の＋Ｘ方向の端部を、−Ｚ方向から支持している。小支柱１０５は、第２エリア１２１に対して、＋Ｘ方向に設けられている。
【００２４】
洗浄吸引部１０７は、カンバス洗浄液を用いてカンバス４１を洗浄すると共に、カンバス４１の洗浄によりカンバス４１から除去された汚れを、カンバス４１の洗浄が行われている間に吸引する。なお、洗浄吸引部１０７については、詳細を後述する。
【００２５】
セーブオール１０９は、第１エリア１１９に設けられており、カンバス４１の洗浄が行われている間に、洗浄吸引部１０７に吸引されたカンバス洗浄液および汚れを回収する。なお、セーブオール１０９は、洗浄吸引部１０７に吸引されたカンバス洗浄液および汚れのほか、洗浄吸引部１０７に吸引されなかったカンバス洗浄液や、洗浄吸引部１０７に結露して洗浄吸引部１０７から垂れ落ちた水滴を回収する。セーブオール１０９のＸ方向両端部には、セーブ排液口１２５が設けられている。セーブオール１０９に回収されたカンバス洗浄液および汚れは、セーブ排液口１２５を介して、図示しない排液タンクへ送られる。
【００２６】
ヘッド洗浄部１１１は、第２エリア１２１に設けられており、洗浄吸引部１０７のメンテナンス処理の一つとして、洗浄吸引部１０７の吸引ヘッド１５１を洗浄する。なお、第２エリア１２１では、洗浄吸引部１０７のメンテナンス処理として、吸引ヘッド１５１の洗浄のほか、後述するように、吸引管１５５（図４参照）の洗浄が行われる。
【００２７】
ヘッド洗浄部１１１は、図３に示すように、吸引ヘッド１５１に対してヘッド洗浄液を噴射することで、吸引ヘッド１５１を洗浄する。これにより、カンバス４１の洗浄によりカンバス４１から除去され、吸引ヘッド１５１に付着した汚れが、吸引ヘッド１５１から除去される。なお、本実施形態では、ヘッド洗浄液として、常温の水が使用されるが、これに限定されず、例えば、温水、蒸気、研磨剤を含んだ水、洗剤を含んだ水などが使用されてもよい。
【００２８】
ヘッド洗浄部１１１は、ヘッド洗浄ノズル１２７と、ヘッド洗浄液流路１２９（図８参照）とを備えている。ヘッド洗浄ノズル１２７は、吸引ヘッド１５１に対してヘッド洗浄液を噴射する。ヘッド洗浄液流路１２９は、ヘッド洗浄ノズル１２７にヘッド洗浄液を供給する。なお、ヘッド洗浄部１１１は、吸引ヘッド１５１から汚れを除去する手段として、ヘッド洗浄ノズル１２７を備えた構成に限定されず、例えば、吸引ヘッド１５１を擦るためのヘッド洗浄ブラシを備えた構成でもよく、ヘッド洗浄ノズル１２７とヘッド洗浄ブラシとの双方を備えた構成でもよい。
【００２９】
洗浄パン１１３は、吸引ヘッド１５１の洗浄が行われている間に、吸引ヘッド１５１から垂れ落ちたヘッド洗浄液および吸引ヘッド１５１から除去された汚れを回収する。洗浄パン１１３は、第２エリア１２１に設けられている。洗浄パン１１３には、パン排液口１３１が設けられている。洗浄パン１１３に回収されたヘッド洗浄液および汚れは、パン排液口１３１を介して、排液タンクへ送られる。
【００３０】
測定部１１５は、吸引管１５５の吸引力を測定する。測定部１１５は、第３エリア１２３に設けられている。測定部１１５としては、例えば、圧力センサーを用いることができる。
【００３１】
移動部１１７は、Ｘ方向に延在しており、洗浄吸引部１０７をＸ方向に移動させる。移動部１１７は、洗浄吸引部１０７を吊り下げるように保持している。移動部１１７としては、例えば、ベルト機構、ボールねじ機構などを用いることができる。
【００３２】
移動部１１７は、カンバス洗浄部１３３によりカンバス４１の洗浄が行われている間に、第１エリア１１９において洗浄吸引部１０７をＸ方向すなわちカンバス４１の幅方向に往復移動させる。移動部１１７は、カンバス４１の洗浄が行われた後、ヘッド洗浄部１１１により吸引ヘッド１５１の洗浄が行われるように、洗浄吸引部１０７を第１エリア１１９から第３エリア１２３を通って第２エリア１２１に移動させる。移動部１１７は、吸引ヘッド１５１の洗浄が行われた後、測定部１１５により吸引管１５５の吸引力が測定されるように、洗浄吸引部１０７を第２エリア１２１から第３エリア１２３に移動させる。移動部１１７は、吸引管１５５の吸引力が測定された後、カンバス洗浄部１３３によりカンバス４１の洗浄が再び行われるように、洗浄吸引部１０７を第３エリア１２３から第１エリア１１９に移動させる。なお、洗浄吸引部１０７は、第１エリア１１９と第３エリア１２３との間を移動するとき、上記の出入口５１を介して、フード３３に出入りする。
【００３３】
［洗浄吸引部］
図４に示すように、洗浄吸引部１０７は、カンバス洗浄部１３３と、吸引部１３５と、エアーナイフ１３７とを備えている。
【００３４】
カンバス洗浄部１３３は、カンバス４１に対してカンバス洗浄液を噴射することで、カンバス４１を洗浄する。より具体的には、カンバス洗浄部１３３は、カンバス４１のうち、カンバスロール４３と接している箇所に対して、カンバス洗浄液を噴射する。これにより、カンバスロール４３の外周面を受けとしてカンバス４１に対してカンバス洗浄液が噴射されるため、カンバス４１を効率良く洗浄することができる。なお、カンバス洗浄部１３３がカンバス４１に対してカンバス洗浄液を噴射する方向は、カンバス４１に対して垂直に噴射する方向よりも、角度θ（例えば３０°）だけ、上流側に傾いている。これにより、カンバス４１から効率良く汚れを除去することができる。また、本実施形態では、カンバス洗浄液として、常温の水が使用されるが、これに限定されず、例えば、温水、蒸気、研磨剤を含んだ水、洗剤を含んだ水などが使用されてもよい。
【００３５】
カンバス洗浄部１３３は、第１ノズルブロック１３９と、第１カンバス洗浄液流路１４１と、第２ノズルブロック１４３と、第２カンバス洗浄液流路１４５とを備えている。
【００３６】
第１ノズルブロック１３９は、Ｘ方向に並んだ複数の第１カンバス洗浄ノズル１４７を備えている。複数の第１カンバス洗浄ノズル１４７は、第１圧力、例えば３００ＭＰａ、のカンバス洗浄液をカンバス４１に対して噴射することで、カンバス４１から汚れを除去する。第１カンバス洗浄液流路１４１は、複数の第１カンバス洗浄ノズル１４７に第１圧力のカンバス洗浄液を供給する。
【００３７】
第２ノズルブロック１４３は、Ｘ方向に並んだ複数の第２カンバス洗浄ノズル１４９を備えている。複数の第２カンバス洗浄ノズル１４９は、第１圧力よりも小さい第２圧力、例えば８０ＭＰａ、のカンバス洗浄液をカンバス４１に対して噴射することで、カンバス４１から汚れを除去する。第２カンバス洗浄液流路１４５は、複数の第２カンバス洗浄ノズル１４９に第２圧力のカンバス洗浄液を供給する。
【００３８】
カンバス洗浄部１３３は、抄紙機１が紙Ｐを製造しているとき、すなわちカンバス４１の一部が紙Ｐと接しているときには、カンバス４１に対して、複数の第１カンバス洗浄ノズル１４７から第１圧力のカンバス洗浄液を比較的少量噴射する。比較的少量のカンバス洗浄液を用いることで、カンバス４１が過度に濡れて紙Ｐが損なわれることを抑制することができる。一方、カンバス洗浄部１３３は、抄紙機１が紙Ｐを製造していないとき、すなわちカンバス４１が紙Ｐと接していないときには、カンバス４１に対して、複数の第２カンバス洗浄ノズル１４９から第２圧力のカンバス洗浄液を比較的多量に噴射する。比較的多量のカンバス洗浄液を用いることで、短時間で効率良くカンバス４１を洗浄することができる。なお、カンバス洗浄部１３３は、２種類の水圧のカンバス洗浄液を使い分ける必要がない場合には、第１カンバス洗浄ノズル１４７および第２カンバス洗浄ノズル１４９のいずれか一方のみを備えた構成でもよい。すなわち、カンバス洗浄部１３３は、第１ノズルブロック１３９および第２ノズルブロック１４３のいずれか一方のみを備えた構成でもよい。
【００３９】
また、カンバス洗浄部１３３は、カンバス４１から汚れを除去する手段として、第１カンバス洗浄ノズル１４７や第２カンバス洗浄ノズル１４９のように、カンバス洗浄液を噴射する手段を備えた構成に限定されるものではない。カンバス洗浄部１３３は、カンバス４１から汚れを除去する手段として、例えば、カンバス４１を擦るためのカンバス洗浄ブラシを備えた構成でもよく、カンバス洗浄液を噴射する手段とカンバス洗浄ブラシとの双方を備えた構成でもよい。
【００４０】
吸引部１３５は、カンバス４１から除去された汚れを、カンバス４１の洗浄が行われている間に吸引する。吸引部１３５は、吸引ヘッド１５１と、接続管１５３と、吸引管１５５と、ミストボックス１５７とを備えている。
【００４１】
吸引ヘッド１５１は、接続管１５３を介して吸引管１５５に接続されており、カンバス洗浄液およびカンバス４１から除去された汚れを吸引する吸引口として機能する。吸引ヘッド１５１は、略長円形の筒状に形成されている。吸引ヘッド１５１の＋Ｙ方向の端部には、カンバスロール４３の外周面に倣うように凹弧状に形成された凹弧部１５９が設けられている。凹弧部１５９は、カンバス４１を介して、カンバスロール４３の外周面と対向している。凹弧部１５９とカンバス４１との間隔は、カンバス洗浄液およびカンバス４１から除去された汚れを効率良く吸引できるように、極力狭い方が好ましく、例えば３ｍｍ程度である。吸引ヘッド１５１は、仮に凹弧部１５９がカンバス４１と接触したとしても、カンバス４１を傷めることがないように、フッ素樹脂などの柔軟性を有する素材で構成されていることが好ましい。
【００４２】
吸引ヘッド１５１の＋Ｚ方向の面には、第１開口１６１と、第２開口１６３とが設けられている。第１開口１６１には、複数の第１カンバス洗浄ノズル１４７が吸引ヘッド１５１の外側から嵌合している。同様に、第２開口１６３には、複数の第２カンバス洗浄ノズル１４９が吸引ヘッド１５１の外側から嵌合している。なお、吸引ヘッド１５１に設けられた１つの開口に対して、第１ノズルブロック１３９および第２ノズルブロック１４３の双方が嵌合した構成でもよい。
【００４３】
２つの接続管１５３は、吸引ヘッド１５１と２つの吸引管１５５とを接続している。２つの接続管１５３は、Ｘ方向に並んでいる。接続管１５３は、吸引管１５５に近づくほど、径が小さくなっている。なお、吸引ヘッド１５１は、接続管１５３を介さずに、吸引管１５５と直接接続された構成でもよい。
【００４４】
２つの吸引管１５５は、カンバス４１の洗浄が行われている間に、カンバス洗浄液およびカンバス４１から除去された汚れが吸引ヘッド１５１および接続管１５３を介して吸引されるように、吸引力を発生させる。２つの吸引管１５５は、Ｘ方向に並んでいる。なお、吸引管１５５については、詳細を後述する。
【００４５】
ミストボックス１５７は、吸引管１５５により吸引されたカンバス洗浄液および汚れを、一時的に貯留する。すなわち、カンバス洗浄液およびカンバス４１から除去された汚れは、吸引ヘッド１５１、接続管１５３および吸引管１５５を順に通って、ミストボックス１５７に到達する。ミストボックス１５７に到達したカンバス洗浄液および汚れは、ミストボックス１５７からセーブオール１０９に回収される。
【００４６】
２つのエアーナイフ１３７は、カンバス４１の洗浄が行われている間に、カンバス４１に対してエアーを吹き付ける。２つのエアーナイフ１３７は、Ｘ方向に並んでおり、吸引ヘッド１５１に対して、カンバス４１の送り方向の下流側に設けられている。すなわち、エアーナイフ１３７は、カンバス４１のうち、第１カンバス洗浄ノズル１４７或いは第２カンバス洗浄ノズル１４９からカンバス洗浄液が噴射された箇所に対して、エアーを吹き付ける。これにより、吸引管１５５に吸引されずにカンバス４１上に残存しているカンバス洗浄液および汚れが、エアーにより吹き飛ばされ、カンバス４１から除去される。
【００４７】
このように、洗浄吸引部１０７は、第１エリア１１９において、カンバス４１の幅方向に往復移動しながら、カンバス洗浄部１３３によるカンバス４１の洗浄と、吸引部１３５による吸引と、エアーナイフ１３７によるエアーの吹付けとを、並行して行う。
【００４８】
［吸引管］
図５ないし図７に示すように、吸引管１５５は、太管１６５と、細管１６７と、装着リング１６９とを備えている。太管１６５の＋Ｙ方向の端部は、接続管１５３と接続され、太管１６５の−Ｙ方向の端部は、細管１６７と接続されている。細管１６７の＋Ｙ方向の端部は、太管１６５と接続され、細管１６７の−Ｙ方向の端部は、ミストボックス１５７と接続されている。太管１６５と細管１６７とは、長さ方向においてそれぞれの一部が重複するようにして、接続されている。
【００４９】
太管１６５は、略円筒状に形成されており、＋Ｙ方向から順に、太管側非重複部１７１と、太管側重複部１７３とを備えている。太管側非重複部１７１は、太管１６５と細管１６７とが接続された状態において、細管１６７と重複しない部分である。太管側非重複部１７１の−Ｙ方向の端部には、−Ｙ方向すなわち太管側重複部１７３に向かって縮径した縮径部１７５が設けられている。太管側重複部１７３は、太管１６５と細管１６７とが接続された状態において、細管１６７と重複する部分である。太管側重複部１７３の内周面には、＋Ｙ方向から順に、太管側溝部１７７と、太管側雌ねじ部１７９とが設けられている。太管側溝部１７７は、環状の溝である。太管側雌ねじ部１７９は、後述する細管側雄ねじ部１９１と係合する。また、太管１６５の周壁には、太管側溝部１７７に対応する位置に、接続口１８１が設けられている。すなわち、接続口１８１は、太管１６５と細管１６７との重複部分において、太管１６５の周壁に開口している。接続口１８１の内周面には、接続口側雌ねじ部１８３が設けられている。接続口側雌ねじ部１８３には、後述する共通分岐流路２２５（図８参照）の下流端に設けられた雄ねじ部（図示省略）が係合する。なお、縮径部１７５と太管側溝部１７７との間の段部を、太管段部１８４という。
【００５０】
細管１６７は、太管１６５よりも細い略円筒状に形成されており、細管１６７の内周面は、−Ｙ方向に向かって、わずかに拡径している。細管１６７は、＋Ｙ方向から順に、細管側重複部１８５と、細管側非重複部１８７とを備えている。細管側重複部１８５は、太管１６５と細管１６７とが接続された状態において、太管１６５と重複する部分である。細管側重複部１８５の外周面には、＋Ｙ方向から順に、細管側溝部１８９と、細管側雄ねじ部１９１とが設けられている。細管側溝部１８９は、環状の溝であり、太管１６５と細管１６７とが接続された状態で、太管側溝部１７７と合致し、太管側溝部１７７と共に、環状の管間隙部１９３を形成する。管間隙部１９３は、接続口１８１と太管１６５および細管１６７の内部とを接続する。細管側雄ねじ部１９１は、太管側雌ねじ部１７９および後述するリング側雌ねじ部１９９と係合する。細管側非重複部１８７は、太管１６５と細管１６７とが接続された状態において、太管１６５と重複しない部分である。なお、細管１６７の＋Ｙ方向の端部を、細管先端部１９５という。
【００５１】
太管１６５と細管１６７との組立て時には、細管先端部１９５が太管１６５の−Ｙ方向の端部に挿入され、細管先端部１９５が太管段部１８４に突き当たるまで、細管１６７が太管１６５に対してねじ込まれた後、細管先端部１９５と太管段部１８４との間にわずかな間隙が生じるように、細管１６７が太管１６５に対して緩められる。
【００５２】
装着リング１６９は、−Ｙ方向から細管１６７に装着され、太管１６５から細管１６７が−Ｙ方向へ抜け出ることを抑制している。装着リング１６９の内周面には、リング側雌ねじ部１９９が形成されている。リング側雌ねじ部１９９は、細管側雄ねじ部１９１と係合する。また、装着リング１６９には、３つの止めねじ２０１が固定されている。３つの止めねじ２０１は、細管１６７に対する装着リング１６９の緩み止めとして機能する。
【００５３】
このように構成された吸引管１５５において、吸引管１５５に吸引力を発生させる導入気体が後述する共通分岐流路２２５（図８参照）から導入されると、導入された導入気体は、管間隙部１９３に入り、細管先端部１９５と太管段部１８４との間隙を通って、吸引管１５５の内部、すなわち太管１６５および細管１６７の内部に進入する。細管１６７の内径は、太管側非重複部１７１の内径よりも小さいため、接続口１８１から導入された導入気体によりベンチュリー効果が生じ、細管１６７の内部が、太管側非重複部１７１の内部に比べて負圧となる。このため、吸引管１５５において、太管１６５側から細管１６７側へと吸引する吸引力が発生する。すなわち、吸引管１５５において、太管１６５の＋Ｙ方向の端部が吸引口となり、細管１６７の−Ｙ方向の端部が排出口となる。その結果、カンバス洗浄液およびカンバス４１から除去された汚れが、吸引ヘッド１５１および接続管１５３を介して吸引管１５５に吸引され、さらに、ミストボックス１５７へと送られる。なお、本実施形態の吸引管１５５は、ベンチュリー効果により吸引力を発生させるが、他の作用効果により、吸引力を発生させる構成でもよい。
【００５４】
ここで、吸引管１５５が吸引動作を続けていると、次第に、吸引された汚れが吸引管１５５の内部に付着する。特に、吸引した汚れが太管１６５と細管１６７との間隙すなわち管間隙部１９３に入り込むと、その汚れが管間隙部１９３を塞いでしまう。その結果、接続口１８１から導入された導入気体が吸引管１５５の内部に進入することができず、吸引管１５５の吸引力が低下してしまう。吸引管１５５の吸引力が低下すると、吸引管１５５がカンバス４１から除去された汚れを吸引し切れなくなり、吸引管１５５に吸引されなかった汚れがカンバス４１上に落下してカンバス４１から紙Ｐへ転写する。汚れが転写した紙Ｐは、販売不能な損紙となることから、吸引管１５５の吸引力が低下する前に、吸引管１５５の吸引力を回復させる必要がある。
【００５５】
そのため、本実施形態とは異なり、カンバス洗浄装置４５が、後述するように、吸引管１５５に接続された導入流路２０５から吸引管１５５に吸引管洗浄液を導入しない構成では、作業員が、定期的に吸引管１５５の吸引力を点検し、吸引力に異常がある場合には、吸引管１５５を分解して手作業で洗浄する、という作業を行わなければならない。なお、上述したヘッド洗浄部１１１は、吸引ヘッド１５１に対してヘッド洗浄液を噴射することで吸引ヘッド１５１を洗浄することはできるが、吸引管１５５に接続された流路から吸引管１５５に洗浄液を導入するものではないため、吸引管１５５を洗浄することができない。これに対し、本実施形態のカンバス洗浄装置４５は、吸引管１５５に接続された共通分岐流路２２５を備え、吸引管１５５に吸引管洗浄液を導入することで、吸引管１５５を洗浄することができる。
【００５６】
［気体洗浄液供給部］
図８に示すように、カンバス洗浄装置４５に備えられた気体洗浄液供給部２０３は、吸引管１５５に対し、導入気体と吸引管洗浄液とを供給する。本実施形態では、導入気体として、高圧の空気、すなわち圧縮空気が使用されるが、空気に限定されず、例えば、窒素、酸素、ヘリウムガスなどが使用されてもよい。本実施形態では、吸引管洗浄液として、第２ノズルブロック１４３に供給されるカンバス洗浄液と同様に、第２圧力（例えば８０ＭＰａ）の水が使用されるが、その圧力は、特に限定されるものではない。また、吸引管洗浄液として、常温の水が使用されるが、これに限定されず、例えば、温水、蒸気、研磨剤を含んだ水、洗剤を含んだ水などが使用されてもよい。なお、カンバス洗浄液と、ヘッド洗浄液と、吸引管洗浄液とは、互いに同じものでもよく、相異なるものでもよい。
【００５７】
気体洗浄液供給部２０３は、導入流路２０５と、コンプレッサー２０７と、ポンプ２０９と、第１制御弁２１１と、第２制御弁２１３と、上流側継手２１５と、下流側継手２１７とを備えている。導入流路２０５は、気体流路２１９と、吸引管洗浄液流路２２１と、共通流路２２３と、２本の共通分岐流路２２５とを備えている。
【００５８】
コンプレッサー２０７は、導入気体の供給源である。気体流路２１９の上流端は、コンプレッサー２０７に接続され、気体流路２１９の下流端は、上流側継手２１５に接続されている。ポンプ２０９は、吸引管洗浄液の供給源である。なお、ポンプ２０９は、ヘッド洗浄ノズル１２７の供給源でもある。吸引管洗浄液流路２２１の上流端は、ポンプ２０９に接続され、吸引管洗浄液流路２２１の下流端は、上流側継手２１５に接続されている。なお、吸引管洗浄液流路２２１の上流端は、ポンプ２０９に代えて、水道栓のように加圧された水源に直接接続された構成でもよい。
【００５９】
また、吸引管洗浄液流路２２１には、ポンプ２０９と後述する第２制御弁２１３との間に、ヘッド継手２２７が設けられている。ヘッド継手２２７には、ヘッド洗浄液流路１２９の上流端が接続されている。ヘッド洗浄液流路１２９の下流端は、ヘッド洗浄ノズル１２７に接続されている。ヘッド洗浄液流路１２９には、ヘッド洗浄制御弁２２９が設けられている。ヘッド洗浄制御弁２２９としては、例えば、電磁弁を用いることができる。
【００６０】
第１制御弁２１１は、気体流路２１９に設けられており、気体流路２１９を開閉する。第１制御弁２１１としては、例えば、電磁弁を用いることができる。また、第１制御弁２１１は、気体流路２１９を開閉するだけでなく、吸引管１５５に導入される導入気体の流量を調整可能な弁でもよい。第２制御弁２１３は、吸引管洗浄液流路２２１に設けられており、吸引管洗浄液流路２２１を開閉する。第２制御弁２１３としては、例えば、電磁弁を用いることができる。また、第２制御弁２１３は、吸引管洗浄液流路２２１を開閉するだけでなく、吸引管１５５に導入される吸引管洗浄液の流量を調整可能な弁でもよい。上流側継手２１５には、気体流路２１９の下流端と、吸引管洗浄液流路２２１の下流端と、共通流路２２３の上流端とが接続されている。
【００６１】
共通流路２２３の上流端は、上流側継手２１５に接続され、共通流路２２３の下流端は、下流側継手２１７に接続されている。下流側継手２１７には、共通流路２２３の下流端と、２本の共通分岐流路２２５の上流端とが接続されている。２本の共通分岐流路２２５の上流端は、下流側継手２１７に接続され、２本の共通分岐流路２２５の下流端は、２つの吸引管１５５の接続口１８１に接続されている。なお、本実施形態では、吸引管１５５に導入気体を導入する共通分岐流路２２５と、吸引管１５５に吸引管洗浄液を導入する共通分岐流路２２５とが同じであるため、気体洗浄液供給部２０３の配管構造を省スペース化することができる。
【００６２】
このように構成された気体洗浄液供給部２０３において、第１制御弁２１１が気体流路２１９を開放し、第２制御弁２１３が吸引管洗浄液流路２２１を閉塞することで、接続口１８１に接続された導入流路２０５から吸引管１５５に導入気体が導入される。その結果、上述したように、吸引管１５５においてベンチュリー効果が生じ、吸引管１５５に吸引力が発生する。
【００６３】
また、第１制御弁２１１が気体流路２１９を閉塞し、第２制御弁２１３が吸引管洗浄液流路２２１を開放することで、接続口１８１に接続された導入流路２０５から吸引管１５５に吸引管洗浄液が導入される。その結果、吸引管１５５の内周面に付着した汚れや、管間隙部１９３に詰まった汚れが除去され、吸引管１５５が洗浄される。特に、本実施形態では、接続口１８１が、太管１６５と細管１６７との重複部分において、太管１６５の周壁に開口しているため、吸引管洗浄液が、太管１６５と細管１６７との間隙、すなわち管間隙部１９３に対し、接続口１８１から直接導入される。このため、管間隙部１９３に詰まった汚れを効果的に除去することができる。なお、吸引管１５５に導入された吸引管洗浄液および吸引管１５５から除去された汚れは、ミストボックス１５７を介して、洗浄パン１１３に回収される。
【００６４】
なお、第１制御弁２１１および第２制御弁２１３は、吸引管１５５への導入気体および吸引管洗浄液の導入を制御する構成であればよく、例えば、第１制御弁２１１および第２制御弁２１３に代えて、単一の流路切替弁、すなわち、共通流路２２３に連なる流路を、気体流路２１９と吸引管洗浄液流路２２１との間で切り替え可能な弁、を備えた構成でもよい。この場合、流路切替弁が、共通流路２２３に連なる流路を、気体流路２１９に切り替えることで、導入流路２０５から吸引管１５５に導入気体が導入される。また、流路切替弁が、共通流路２２３に連なる流路を、吸引管洗浄液流路２２１に切り替えることで、導入流路２０５から吸引管１５５に吸引管洗浄液が導入される。
【００６５】
［操作表示部および制御部］
図９に示すように、カンバス洗浄装置４５は、操作表示部２３３と、制御部２３５とを備えている。操作表示部２３３は、作業員からの入力操作を受け付け、また、各種情報を表示する。操作表示部２３３としては、例えば、タッチパネルを用いることができる。制御部２３５は、図示省略したが、プロセッサーと、メモリーとを備えており、メモリーに記憶されたプログラムをプロセッサーが実行することで、各種の制御処理を実行する。すなわち、制御部２３５は、操作表示部２３３に対する入力操作、測定部１１５の測定結果などに基づいて、カンバス洗浄装置４５の各部を制御する。
【００６６】
［制御処理］
図１０を参照して、制御部２３５が実行する制御処理について説明する。制御部２３５は、例えば、操作表示部２３３に対して洗浄開始の入力操作が行われると、以下に述べる制御処理を開始する。
【００６７】
ステップＳ０１では、制御部２３５は、カンバス洗浄処理を行う。すなわち、制御部２３５は、カンバス４１に対してカンバス洗浄液が噴射されるように、カンバス洗浄部１３３を制御する。また、制御部２３５は、吸引部１３５がカンバス４１から除去された汚れを吸引するように、すなわち、導入流路２０５から吸引管１５５に導入気体が導入されるように、第１制御弁２１１、第２制御弁２１３およびヘッド洗浄制御弁２２９を制御する。すなわち、制御部２３５は、第１制御弁２１１が気体流路２１９を開放し、第２制御弁２１３が吸引管洗浄液流路２２１を閉塞し、ヘッド洗浄制御弁２２９がヘッド洗浄液流路１２９を閉塞するように、第１制御弁２１１、第２制御弁２１３およびヘッド洗浄制御弁２２９を制御する。また、制御部２３５は、洗浄吸引部１０７が、第１エリア１１９において、カンバス４１に対してカンバス４１の幅方向に往復移動するように、移動部１１７を制御する。制御部２３５は、カンバス洗浄処理を所定の時間実行した後、ステップＳ０２に進む。なお、制御部２３５は、カンバス洗浄処理を所定の時間実行した後、ステップＳ０２に進む代わりに、カンバス洗浄部１３３がカンバス４１に対して所定の回数往復移動した後、ステップＳ０２に進んでもよい。
【００６８】
ステップＳ０２では、制御部２３５は、洗浄吸引部１０７が第２エリア１２１へ移動するように、移動部１１７を制御する。
【００６９】
ステップＳ０３では、制御部２３５は、ヘッド洗浄処理および吸引管洗浄処理を実行する。すなわち、制御部２３５は、まず、吸引ヘッド１５１に対してヘッド洗浄液が噴射されるように、第１制御弁２１１、第２制御弁２１３およびヘッド洗浄制御弁２２９を制御する。すなわち、制御部２３５は、第１制御弁２１１が気体流路２１９を閉塞し、第２制御弁２１３が吸引管洗浄液流路２２１を閉塞し、ヘッド洗浄制御弁２２９がヘッド洗浄液流路１２９を開放するように、第１制御弁２１１、第２制御弁２１３およびヘッド洗浄制御弁２２９を制御する。続いて、制御部２３５は、吸引部１３５が洗浄されるように、すなわち、導入流路２０５から吸引管１５５に吸引管洗浄液が導入されるように、第１制御弁２１１、第２制御弁２１３およびヘッド洗浄制御弁２２９を制御する。すなわち、制御部２３５は、第１制御弁２１１が気体流路２１９を閉塞し、第２制御弁２１３が吸引管洗浄液流路２２１を開放し、ヘッド洗浄制御弁２２９がヘッド洗浄液流路１２９を閉塞するように、第１制御弁２１１、第２制御弁２１３およびヘッド洗浄制御弁２２９を制御する。このように、ヘッド洗浄処理と吸引管洗浄処理とが別々に行われるため、共通の供給源であるポンプ２０９から、ヘッド洗浄ノズル１２７および吸引管１５５に対して、それぞれ十分な水量のヘッド洗浄液および吸引管洗浄液が供給される。制御部２３５は、ヘッド洗浄処理および吸引管洗浄処理を所定の時間実行した後、ステップＳ０４に進む。
【００７０】
なお、制御部２３５は、吸引管洗浄処理を行った後、ヘッド洗浄処理を行ってもよい。制御部２３５は、ヘッド洗浄液と吸引管洗浄処理とを同時に行ってもよい。すなわち、制御部２３５は、第２制御弁２１３が吸引管洗浄液流路２２１を開放すると共にヘッド洗浄制御弁２２９がヘッド洗浄液流路１２９を開放するように、第２制御弁２１３およびヘッド洗浄制御弁２２９を制御してもよい。この場合、ヘッド洗浄ノズル１２７および吸引管１５５に対してそれぞれ十分な水量のヘッド洗浄液および吸引管洗浄液が供給されるように、ヘッド洗浄液の供給源と吸引管洗浄液の供給源とを、別々に設けることが好ましい。
【００７１】
ステップＳ０４では、制御部２３５は、洗浄吸引部１０７が第３エリア１２３へ移動するように、移動部１１７を制御する。
【００７２】
ステップＳ０５では、制御部２３５は、吸引力測定処理を実行する。すなわち、制御部２３５は、制御部２３５は、吸引管１５５に吸引力が発生するように、すなわち、導入流路２０５から吸引管１５５に導入気体が導入されるように、第１制御弁２１１、第２制御弁２１３およびヘッド洗浄制御弁２２９を制御する。すなわち、制御部２３５は、第１制御弁２１１が気体流路２１９を閉塞し、第２制御弁２１３が吸引管洗浄液流路２２１を開放し、ヘッド洗浄制御弁２２９がヘッド洗浄液流路１２９を閉塞するように、第１制御弁２１１、第２制御弁２１３およびヘッド洗浄制御弁２２９を制御する。また、制御部２３５は、測定部１１５による吸引管１５５の吸引力の測定結果を、測定部１１５から受信する。
【００７３】
ステップＳ０６では、制御部２３５は、測定部１１５により測定された吸引管１５５の吸引力の測定結果に基づいて、吸引管１５５の吸引力が閾値より小さいか否かを判断する。制御部２３５は、吸引管１５５の吸引力が閾値より小さくないと判断した場合には、ステップＳ０７に進む。
【００７４】
ステップＳ０７では、制御部２３５は、洗浄吸引部１０７が第１エリア１１９へ移動するように、移動部１１７を制御する。その後、制御部２３５は、ステップＳ０１に戻り、カンバス洗浄処理を再び実行する。
【００７５】
一方、制御部２３５は、ステップＳ０６において、吸引管１５５の吸引力が閾値より小さいと判断した場合には、ステップＳ０２に戻り、洗浄吸引部１０７が第２エリア１２１へ移動するように、移動部１１７を制御する。続いて、制御部２３５は、ステップＳ０３に進み、ヘッド洗浄処理および吸引管洗浄処理を再び実行する。なお、この場合、制御部２３５は、ヘッド洗浄処理を実行することなく、吸引管洗浄処理のみを再び実行してもよい。
【００７６】
制御部２３５は、ステップＳ０６において、吸引管１５５の吸引力が閾値より小さくないと判断するまで、ステップＳ０２からステップＳ０６までの各ステップを繰り返すことで、ヘッド洗浄処理を繰り返し行う。なお、ヘッド洗浄処理が所定の回数繰り返し行われた後も、制御部２３５が吸引管１５５の吸引力が閾値より小さいと判断した場合、すなわち吸引管１５５の吸引力が回復しなかった場合には、操作表示部２３３が警告を表示してもよい。
【００７７】
このように、吸引管１５５の洗浄により吸引管１５５の吸引力が回復しなかったときに、吸引管１５５を用いて汚れの吸引を行う前に、吸引管１５５が再び洗浄されることで、吸引管１５５の吸引力が回復した状態で、吸引管１５５を用いて汚れの吸引を行うことができる。
【００７８】
以上のように、本実施形態のカンバス洗浄装置４５によれば、導入流路２０５から吸引管１５５に吸引管洗浄液が導入されることで、吸引管１５５を手作業で洗浄することなく、吸引管１５５に吸引された汚れを吸引管１５５から除去することができる。したがって、吸引管１５５を手作業で洗浄することなく、吸引管１５５の吸引力を回復させることができる。
【００７９】
［変形例］
図１１を参照して、吸引管１５５および気体洗浄液供給部２０３の変形例について説明する。変形例に係る吸引管１５５の周壁には、第１接続口２３７と、第２接続口２３９とが設けられている。すなわち、第１接続口２３７および第２接続口２３９は、上記の接続口１８１と同様に、太管側溝部１７７に対応する位置で、太管１６５の周壁に開口している。
【００８０】
また、気体洗浄液供給部２０３は、第１導入流路２４１と、第２導入流路２４３とを備えている。第１導入流路２４１は、気体流路２１９と、２本の気体分岐流路２４５とを備えている。気体流路２１９の上流端は、コンプレッサー２０７に接続され、気体流路２１９の下流端は、気体分岐継手２４７に接続されている。２本の気体分岐流路２４５の上流端は、気体分岐継手２４７に接続され、２本の気体分岐流路２４５の下流端は、２つの吸引管１５５の第１接続口２３７に接続されている。
【００８１】
第２導入流路２４３は、吸引管洗浄液流路２２１と、２本の洗浄液分岐流路２４９とを備えている。吸引管洗浄液流路２２１の上流端は、ポンプ２０９に接続され、吸引管洗浄液流路２２１の下流端は、洗浄液分岐継手２５１に接続されている。なお、上記の実施形態と同様に、吸引管洗浄液流路２２１の上流端は、ポンプ２０９に代えて、水道栓のように加圧された水源に直接接続された構成でもよい。２本の洗浄液分岐流路２４９の上流端は、洗浄液分岐継手２５１に接続され、２本の洗浄液分岐流路２４９の下流端は、２つの吸引管１５５の第２接続口２３９に接続されている。
【００８２】
変形例に係る気体洗浄液供給部２０３においても、上記の実施形態と同様に、第１制御弁２１１が気体流路２１９を開放し、第２制御弁２１３が吸引管洗浄液流路２２１を閉塞することで、第１導入流路２４１から吸引管１５５に導入気体が導入される。その結果、上述したように、吸引管１５５においてベンチュリー効果が生じ、吸引管１５５に吸引力が発生する。
【００８３】
また、第１制御弁２１１が気体流路２１９を閉塞し、第２制御弁２１３が吸引管洗浄液流路２２１を開放することで、第２導入流路２４３から吸引管１５５に吸引管洗浄液が導入される。その結果、吸引管１５５の内周面に付着した汚れや、管間隙部１９３に詰まった汚れが除去され、吸引管１５５が洗浄される。
【００８４】
本変形例の構成によれば、気体流路２１９と吸引管洗浄液流路２２１とが吸引管１５５に至る途中で合流していないため、第１制御弁２１１或いは第２制御弁２１３が故障しても、高圧の吸引管洗浄液が気体流路２１９に進入してコンプレッサー２０７を損なうことを抑制することができる。
【００８５】
［その他の変形例］
上記の実施形態および変形例に限定されず、その趣旨を逸脱しない範囲で種々の構成を採用可能であることは言うまでもない。例えば、上記の実施形態および変形例は、上述したほか、以下のような形態に変更することができる。また、実施形態と変形例とを組み合わせた構成でもよく、変形例同士を組み合わせた構成でもよい。
【００８６】
制御部２３５は、第２エリア１２１において吸引管洗浄処理を行う構成に限定されず、例えば、第１エリア１１９においてカンバス洗浄処理と並行して吸引管洗浄処理を行う構成でもよい。すなわち、制御部２３５は、カンバス洗浄処理を行う間つまりカンバス４１から除去された汚れの吸引が行われる間に、導入流路２０５から吸引管１５５に、導入気体と吸引管洗浄液とが導入されるように、第１制御弁２１１および第２制御弁２１３を制御してもよい。これにより、カンバス４１の洗浄が行われている間に吸引管１５５に吸引された汚れが、即座に吸引管１５５から除去されるため、吸引管１５５を効率良く洗浄することができる。なお、この場合、制御部２３５は、吸引管１５５に導入される吸引管洗浄液の時間当たりの液量が、比較的少量となるように、第２制御弁２１３を制御することが好ましい。
【００８７】
吸引管１５５に対し、導入気体および吸引管洗浄液を同時に導入することで、泡立った吸引管洗浄液により吸引管１５５を洗浄する構成でもよい。例えば、上記の変形例において、第１制御弁２１１が気体流路２１９を開放すると共に、第２制御弁２１３が吸引管洗浄液流路２２１を開放することで、吸引管１５５に導入気体および吸引管洗浄液を同時に導入することができる。
【００８８】
気体洗浄液供給部２０３或いは吸引管１５５に超音波振動子を取り付けて、吸引管洗浄液を超音波により振動させることで、吸引管１５５を洗浄する構成でもよい。また、超音波振動子を第２エリア１２１或いは第２エリア１２１近傍に配置し、洗浄吸引部１０７が第２エリア１２１或いは第２エリア１２１近傍に移動したときに、気体洗浄液供給部２０３或いは吸引管１５５に超音波が伝わるようにすることで、吸引管１５５を洗浄する構成でもよい。さらに、第２エリア１２１に超音波振動子を備えた水槽を設け、その水槽に吸引管洗浄液を入れ、洗浄吸引部１０７全体に超音波を与えて洗浄を促進してもよい。
【００８９】
吸引管１５５は、太管１６５と細管１６７とを備えた構成に限定されず、例えば、一部材で構成されたものでもよい。
【００９０】
実施形態および変形例のカンバス洗浄装置４５は、ワイヤー洗浄装置１９、フェルト洗浄装置３１などに応用可能である。すなわち、「帯状体」は、ワイヤー１３、フェルト２７などを含む概念である。また、「帯状体洗浄装置」は、ワイヤー洗浄装置１９、フェルト洗浄装置３１などを含む概念である。
【００９１】
［付記］
以下、帯状体洗浄装置および吸引管について付記する。
帯状体洗浄装置は、抄紙機に設けられた帯状体を洗浄する帯状体洗浄部と、吸引力を発生させる吸引管、を有し、帯状体の洗浄により帯状体から除去された汚れを、帯状体の洗浄が行われている間に吸引する吸引部と、を備え、吸引管の周壁には、吸引管に吸引力を発生させる導入気体を導入する第１導入流路が接続される第１接続口と、吸引管に吸引管洗浄液を導入する第２導入流路が接続される第２接続口と、が設けられている。
【００９２】
この構成によれば、第２導入流路から吸引管に吸引管洗浄液が導入されることで、吸引管を手作業で洗浄することなく、吸引管に吸引された汚れを吸引管から除去することができる。したがって、吸引管を手作業で洗浄することなく、吸引管の吸引力を回復させることができる。
なお、カンバス洗浄装置４５は、「帯状体洗浄装置」の一例である。カンバス４１は、「帯状体」の一例である。カンバス洗浄部１３３は、「帯状体洗浄部」の一例である。
【００９３】
吸引管は、吸引力を発生させる吸引管であって、吸引管の周壁に、吸引管に吸引力を発生させる導入気体を導入する第１導入流路が接続される第１接続口と、吸引管に吸引管洗浄液を導入する第２導入流路が接続される第２接続口と、が設けられている。
【００９４】
この構成によれば、第２導入流路から吸引管に吸引管洗浄液が導入されることで、吸引管を手作業で洗浄することなく、吸引管に吸引された汚れを吸引管から除去することができる。したがって、吸引管を手作業で洗浄することなく、吸引管の吸引力を回復させることができる。
【符号の説明】
【００９５】
１…抄紙機、４１…カンバス、１１１…ヘッド洗浄部、１１５…測定部、１３３…カンバス洗浄部、１３５…吸引部、１５１…吸引ヘッド、１５５…吸引管、１６５…太管、１６７…細管、１８１…接続口、２０５…導入流路、２１１…第１制御弁、２１３…第２制御弁、２３５…制御部、２３７…第１接続口、２３９…第２接続口、２４１…第１導入流路、２４３…第２導入流路。
【要約】
【課題】帯状体から除去された汚れを吸引する吸引管の吸引力を、吸引管を手作業で洗浄することなく、回復させることができる帯状体洗浄装置の制御方法を提供する。
【解決手段】抄紙機に設けられた帯状体を洗浄する帯状体洗浄部と、吸引力を発生させる吸引管１５５、を有し、帯状体の洗浄により帯状体から除去された汚れを、帯状体の洗浄が行われている間に吸引する吸引部と、を備え、吸引管１５５の周壁には、吸引管に吸引力を発生させる導入気体を導入する第１導入流路２４１が接続される第１接続口２３７と、吸引管に吸引管洗浄液を導入する第２導入流路２４３が接続される第２接続口２３９と、が設けられている。
【選択図】図１１【図１】
0006896929.tif 000002
【図２】
0006896929.tif 000003
【図３】
0006896929.tif 000004
【図４】
0006896929.tif 000005
【図５】
0006896929.tif 000006
【図６】
0006896929.tif 000007
【図７】
0006896929.tif 000008
【図８】
0006896929.tif 000009
【図９】
0006896929.tif 000010
【図１０】
0006896929.tif 000011
【図１１】
0006896929.tif 000012